(57)【要約】【課題】  複数枚の反射型ライトバルブを用いてカラー画像をスクリーン上に拡大投影する投射装置を提供する。【解決手段】  各色の色合成素子１への入射光及び色合成素子１からの出力光を含む平面と、各色の偏光分離素子（４ａ、４ｂ、４ｃ）へ入射光及び偏光分離素子（４ａ、４ｂ、４ｃ）からの出力光を含む平面とが互いに略直交する構成とすることより、全てのライトバルブ（５ａ、５ｂ、５ｃ）を同一平面上への配置できる。また、Ｒ、Ｇ、Ｂに対応したライトバルブ（５ａ、５ｂ、５ｃ）を同一の取り付け部材７に保持し、かつ一体化したので、投射装置に入射される照射光の光軸をそろえることができる。さらに、ライトバルブ（５ａ、５ｂ、５ｃ）と取り付け部材７とを一体化したユニット構造を採用したため、色合成素子１や偏光分離素子（４ａ、４ｂ、４ｃ）の組み立て後に、複数のライトバルブ（５ａ、５ｂ、５ｃ）と取り付け部材７とを一体化したユニットを取り付けるシンプルな構造とすることができる。【選択図】  図１
2006098881.tif 000002
【特許請求の範囲】
【請求項１】
複数色の光を発する光源と、前記光源から発せられた各色光にそれぞれ対応して設けられた複数の偏光分離素子と、前記各偏光分離素子を透過又は反射した各偏光光にそれぞれ対応して設けられたライトバルブと、色合成素子とを有し、前記ライトバルブは、前記偏光分離素子を透過又は反射した各色光の偏光光をそれぞれ変調し、前記偏光分離素子は、前記ライトバルブによって変調された各色光をそれぞれ検光し、前記色合成素子は、前記偏光分離素子によって検光された各色光を色合成する投射装置において、
各偏光光にそれぞれ対応して設けられた前記ライトバルブを取り付ける取り付け部材を有し、
前記偏光分離素子によって検光された各色光と前記色合成素子によって色合成された各色光とが形成する面と、前記偏光分離素子によって検光された各色光と前記ライトバルブによって変調された各色光とが形成する面とが略直交し、
前記ライトバルブを前記取り付け部材の同一平面上に配置することを特徴とする投射装置。
【請求項２】
前記各ライトバルブと前記取り付け部材とを一体化する前記各ライトバルブにそれぞれ対応して設けられた中間部材と、
前記中間部材と前記取り付け部材との間隔を調整する調整手段とを有し、
前記調整手段は、前記各ライトバルブの偏光光が照射される面を同一平面上に位置させることを特徴とする請求項１記載の投射装置。
【請求項３】
前記中間部材は、
前記ライトバルブと接する第１の部材と、
前記取り付け部材と接する第２の部材と、
前記第２の部材を基準に前記第１の部材を前記偏光光と直交する面と平行に移動させる第１の移動手段とを有することを特徴とする請求項２記載の投射装置。
【請求項４】
前記偏光分離素子を検光された各色光と平行に移動させる第２の移動手段を有し、
前記第２の移動手段は、前記各色光が前記ライトバルブにおいて変調されてから、前記色合成素子が各色光を出射する面に到達するまでの距離が均一になるように前記偏光分離素子を移動させることを特徴とする請求項１から３のいずれか１項記載の投射装置。
【請求項５】
前記ライトバルブが設置されている位置に対応して前記偏光分離素子と前記色合成素子とが一体化していることを特徴とする請求項１から４のいずれか１項記載の投射装置。
【発明の詳細な説明】
【技術分野】
【０００１】
本発明は、液晶パネルやＤＶＤ（デジタル・マイクロミラー・デバイス）等の画像生成用のライトバルブを用いた投射型プロジェクト用の投影装置に関し、特に、複数枚の反射型ライトバルブを用いてカラー画像をスクリーン上に拡大投影する投射装置に関する。
【背景技術】
【０００２】
例えば、カラー画像表示を行う投射プロジェクタとしては、Ｒ、Ｇ、Ｂの３原色光を３枚の液晶パネルに照射してＲ、Ｇ、Ｂの各画像情報を担持せしめ、これらの色光を合成してスクリーンに投影するものが広く知られている。
【０００３】
近年、液晶パネルに代表されるライトバルブを用いて拡大投射をおこなうプロジェクション装置として、リアプロジェクションＴＶやフロントプロジェクタが製品化されている。これらプロジェクション装置には、より高画質化と共に低コスト化が求められている。低コスト化のため、単一のライトバルブを用い、１フレーム表示内で時間分割したＲ、Ｇ、Ｂ照明とし、表示としては白色となるような所謂カラーシーケンシャル方式による表示装置も製品化されている。
【０００４】
しかし、所謂カラーシーケンシャル方式による表示装置は、動画表示時や目の移動時に生じるカラーブレークなど高画質を阻害する課題がある。したがって、高画質と低コスト化を同時に満たすには、Ｒ、Ｇ、Ｂの各色照明光をそれぞれのカラーに対応した画像を３板のライトバルブを用いた所謂多板方式の方が有利である。
【０００５】
多板方式による表示装置は、複数のパネルの焦点調整や位置調整が必要である。また、その精度は、高画質化になればなるほど、画素ピッチなどが小さくなり高くなる。
【０００６】
特許文献１では、反射型ライトバルブを用いた投影光学系において、光源から照射光の色分離と反射型ライトバルブからの色光の色合成を１つの光学部材により行うようにして投影光学系のコンパクト化および製造コストの低廉化を図るとともに、スクリーン上に色むらの少ないカラー画像を映出できる反射型投影光学系が提案されている。
【０００７】
特許文献２では、直線偏向状態の白色照明光を第１の波長選択性リターダを透過させ、偏向ビームスプリッタとダイクロイックプリズムにより分離し、ライトバルブにより映像光とし、ダイクロイックプリズムと偏向ビームスプリッタにより合成し、第２の波長選択性リターダを介して偏向子に入射し、結像光学系によりスクリーン上に投影されたカラー画像を表示することにより、投影画像のコントラストを向上させる投影装置が提案されている。
【特許文献１】特開２０００−１３１６４９号公報
【特許文献２】特開２００３−１８５９７３号公報
【発明の開示】
【発明が解決しようとする課題】
【０００８】
しかしながら、上記の発明は、以下の問題を有している。
【０００９】
特許文献１によれば、反射型ライトバルブを用いた投影光学系において、光源からの照射光の色分離と反射型ライトバルブからの色光の色合成を１つの光学部材により行うようにして投影光学系のコンパクト化を図っているが、反射型ライトバルブの配置については言及されておらず、反射型投影光学系のコンパクト化が図られていない。
【００１０】
特許文献２によれば、複数の反射型ライトバルブを用いて投影画像のコントラストの向上を図っているが、該反射型ライトバルブの配置については言及されておらず、投射装置のコンパクト化が図られていない。
【００１１】
そこで、本発明は、偏光分離素子によって偏向された偏光方向と、色合成素子による偏光方向とを直交させ、かつライトバルブを同一平面上に配置し、Ｒ、Ｇ、Ｂに対応したライトバルブを同一部材に保持し一体化することにより、プリズム、偏光分離素子、及びライトバルブ等の組み立てが容易かつ装置全体がコンパクト化された投影装置を提供することを目的としている。
【課題を解決するための手段】
【００１２】
請求項１記載の発明は、複数色の光を発する光源と、前記光源から発せられた各色光にそれぞれ対応して設けられた複数の偏光分離素子と、前記各偏光分離素子を透過又は反射した各偏光光にそれぞれ対応して設けられたライトバルブと、色合成素子とを有し、前記ライトバルブは、前記偏光分離素子を透過、又は反射された各色光の偏光光をそれぞれ変調し、前記偏光分離素子は、前記ライトバルブによって変調された各色光をそれぞれ検光し、前記色合成素子は、前記偏光分離素子によって検光された各色光を色合成する投射装置において、各偏光光にそれぞれ対応して設けられた前記ライトバルブを取り付ける取り付け部材を有し、前記偏光分離素子によって検光された各色光と前記色合成素子によって色合成された各色光とが形成する面と、前記偏光分離素子によって検光された各色光と前記ライトバルブによって変調された各色光とが形成する面とが略直交し、前記ライトバルブを前記取り付け部材の同一平面上に配置することを特徴とする。
【００１３】
請求項２記載の発明は、請求項１記載の投射装置において、前記各ライトバルブと前記取り付け部材とを一体化する前記各ライトバルブにそれぞれ対応して設けられた中間部材と、前記中間部材と前記取り付け部材との間隔を調整する調整手段とを有し、前記調整手段は、前記各ライトバルブの偏光光が照射される面を同一平面上に位置させることを特徴とする。
【００１４】
請求項３記載の発明は、請求項２記載の投射装置において、前記中間部材は、前記ライトバルブと接する第１の部材と、前記取り付け部材と接する第２の部材と、前記第２の部材を基準に前記第１の部材を前記偏光光と直交する面と平行に移動させる第１の移動手段とを有することを特徴とする。
【００１５】
請求項４記載の発明は、請求項１から３のいずれか１項記載の投射装置において、前記偏光分離素子を検光された各色光と平行に移動させる第２の移動手段を有し、前記第２の移動手段は、前記各色光が前記ライトバルブにおいて変調されてから、前記色合成素子が各色光を出射する面に到達するまでの距離が均一になるように前記偏光分離素子を移動させることを特徴とする。
【００１６】
請求項５記載の発明は、請求項１から４のいずれか１項記載の投射装置において、前記ライトバルブが設置されている位置に対応して前記偏光分離素子と前記色合成素子とが一体化していることを特徴とする。
【発明の効果】
【００１７】
本発明は、各色の色合成素子への入射光及び色合成素子からの出力光を含む平面と、各色の偏光分離素子への入射光及び偏光分離素子からの出力光を含む平面とが互いに略直交する構成とすることより、全てのライトバルブを同一平面上へ配置できる。また、Ｒ、Ｇ、Ｂに対応したライトバルブを同一部材に保持し、かつ一体化したので、投射装置に入射される照射光の光軸をそろえることができる。さらに、複数のライトバルブと取り付け部材とを一体化したユニット構造を採用したため、色合成素子や偏光分離素子の組み立て後に、複数のライトバルブと取り付け部材とを一体化したユニットを取り付けるシンプルな構造とすることができる。
【発明を実施するための最良の形態】
【００１８】
以下に本発明の実施形態の一例について説明する。
【００１９】
図１は、本実施形態に係る投射装置の概略図である。本実施形態に係る投射装置は、Ｒ、Ｇ、Ｂの各色の照明光（１０１ａ、１０１ｂ、１０１ｃ）に対応するライトバルブ（５ａ、５ｂ、５ｃ）、各色の照明光（１０１ａ、１０１ｂ、１０１ｃ）からライトバルブ（５ａ、５ｂ、５ｃ）へ入射する照明光を分離する偏光分離素子（４ａ、４ｂ、４ｃ）、及びライトバルブ（５ａ、５ｂ、５ｃ）で偏光状態を画素単位で変調された各色の出力光を合成する色合成素子１を有している。なお、ライトバルブ（５ａ、５ｂ、５ｃ）は、同一の平面６上に配置されており、ライトバルブ（５ａ、５ｂ、５ｃ）は、取り付け部材７と一体化されている。
【００２０】
図２は、図１に示した本実施形態に係る投射装置の側面図及び上面図である。図２において、符号１０３ａ及び符号１０３ｃは色合成素子１への入射光を、符号１０４ａ及び符号１０４ｃは色合成素子１からの出力光を表している。なお、色合成素子１への入射光１０３ａ及び色合成素子１からの出力光１０４ａを含む平面と、偏光分離素子４ａへの入射光１０２ａ及び偏光分離素子４ａからの出力光１０３ａを含む平面とは互いに略直交している。
【００２１】
図１に示すように、上方から照明光（１０１ａ、１０１ｂ、１０１ｃ）を偏光分離素子（４ａ、４ｂ、４ｃ）を介して、ライトバルブ（５ａ、５ｂ、５ｃ）に入射する。偏光分離素子（４ａ、４ｂ、４ｃ）を通過した照明光は、直線偏光となって、ライトバルブ（５ａ、５ｂ、５ｃ）を照明する。ライトバルブ（５ａ、５ｂ、５ｃ）が反射型のライトバルブ等の場合、各色に応じた画像信号により画素毎に変調され、入射偏光を回転して反射され偏光分離素子（４ａ、４ｂ、４ｃ）へと向かう。偏光分離素子（４ａ、４ｂ、４ｃ）は、変調された各色の出力光を反射光として色合成素子１へ導く。
【００２２】
偏光分離素子（４ａ、４ｂ、４ｃ）には、ワイヤーグリッドといわれる金線格子を透明基板上に設けたプレート型の偏光分離素子や、誘電体多層膜で形成した偏光分離プリズムなど利用する。特に、プレート型の偏光分離素子を用いた場合、光路の大部分が空気媒体となるため、プリズムを使う場合より色収差による焦点ズレが小さくなる利点がある。
【００２３】
色合成素子１としては、クロス型のダイクロイックプリズムが好適である。色合成素子１に入射した各色の入射光は、ダイクロイック膜（２、３）により反射し、カラー画像２０１として出力される。プロジェクション拡大装置へ適用する場合は、投射レンズ（図示せず）などで拡大投射する。
【００２４】
上述したように、各色の色合成素子への入射光及び色合成素子からの出力光を含む平面と、各色の偏光分離素子への入射光及び偏光分離素子からの出力光を含む平面とが互いに略直交する構成とすることより、全てのライトバルブの同一平面上への配置が可能となった。また、Ｒ、Ｇ、Ｂに対応したライトバルブを同一部材に保持し、かつ一体化したので、投射装置に入射される照射光の光軸をそろえることができる（図１の場合、上方向）。さらに、複数のライトバルブと取り付け部材とを一体化したユニット構造を採用したため、色合成素子や偏光分離素子の組みつけ後に、複数のライトバルブと取り付け部材とを一体化したユニットを取り付けるシンプルな構造とすることができる。
【００２５】
また、照明光路中に、偏光分離素子と１／２波長板を組み合わせた所謂偏光変換素子を配置して、本発明の偏光分離素子に高効率で透過するように、偏光をそろえた照明光としても良い。このような構成を採用することで、より光利用効率の高い投射装置が実現できる。
【００２６】
次に、各ライトバルブ（５ａ、５ｂ、５ｃ）の表面を同一の平面に配置するために、中間部材を介して各ライトバルブ（５ａ、５ｂ、５ｃ）を取り付け部材７に取り付けた投射装置について、図３を用いて説明する。
【００２７】
図３（ａ）、（ｂ）、及び（ｃ）は、ライトバルブ（５ａ、５ｃ）を中間部材（２２ａ、２２ｃ）に取り付ける様子を示している。中間部材（２２ａ、２２ｃ）は、主に、光軸方向を規制する役割を果たす。この中間部材（２２ａ、２２ｃ）を介して、取り付け部材７とライトバルブ（５ａ、５ｃ）とを一体化して保持する。この際、ライトバルブ（５ａ、５ｃ）を同一の平面上に配置するため、基準部材２１の参照基準面２１−Ａに、ライトバルブ（５ａ、５ｃ）の表示面を密着させる。ライトバルブ（５ａ、５ｃ）を形成している基板や中間部材７の厚みの誤差により、ライトバルブ同士の高さ、図３（ａ）に示すようにライトバルブ２２ａ、２２ｂの高さ方向の位置が揃わない場合であっても、中間部材と取り付け部材７の間隔を接着剤等の調整手段により調整し、その誤差量を吸収する。
【００２８】
具体的には、図３（ａ）に示すように、予め中間部材２２ａ及び２２ｂを基準部材２１上において位置合わせを行った後に、図３（ｂ）に示すように、接着剤等で中間部材（２２ａ、２２ｂ）と取り付け部材７との間隙を充填・固着する。必ずしも充填する必要はなく、十分な固着強度を得られれば、接着部材等をブリッジ状に固着してもよい。接着部材としては、ＵＶ接着剤、熱硬化型、２液性硬化型などを用いる。そして、位置決め固着後、図３（ｃ）の模式図に示すように、基準部材２１を取り外す。
【００２９】
また、ライトバルブ同士の高さを合わせる手段としては、顕微鏡などでライトバルブの表示面と基準面２１−Ａとを光学的な手段により照らし合わせても良い。または、取り付け部材７と中間部材（２２ａ、２２ｃ）との間隔をネジ送り機構により調整し、位置調整後に接着剤等で固着してもよい。要求される精度により、ネジ止めによりライトバルブと取り付け部材を一体化して保持することもできる。
【００３０】
なお、図３（ａ）、（ｂ）、及び（ｃ）には、図示しなかったが、ライトバルブ５ｂも上述した方法により取り付け部材７に一体化して保持する。
【００３１】
以上に述べたように、複数のライトバルブと取り付け部材とを一体化して保持することにより、各ライトバルブの表示部を同一平面上に保持することができる。また、ライトバルブと取り付け部材とを一体化して保持することにより、投射装置の組み立てに関しても容易におこなうことができる。
【００３２】
次に、各ライトバルブ（５ａ、５ｂ、５ｃ）の位置を、取り付け部材７の面上で調整する機構について図４を用いて説明する。取り付け部材７上に取り付けられた各色のライトバルブ（５ａ、５ｂ、５ｃ）は、ライトバルブ（５ａ、５ｂ、５ｃ）の表示面と平行な面（図４に示す面Ｈ）と平行に位置調整を行えるようにした。
【００３３】
図５を用い取り付け部材７の面Ｈと平行にライトバルブ（５ａ、５ｂ、５ｃ）の位置調整をおこなう具体的な機構について説明する。ライトバルブ（５ａ、５ｃ）は、中間部材（２２ａ、２２ｃ）等により取り付け部材７と一体化して保持されている。中間部材（２２ａ、２２ｃ）は、取り付け部材７の面Ｈと平行な面Ｉ上で微動にシフト、又は回転できる。中間部材（２２ａ、２２ｃ）は、ライブバルブと直接接する部材（２２１ａ、２２１ｂ）、及び取り付け部材７と直接接する部材（２２２ａ、２２２ｂ）とで構成される。そして、ライトバルブ（５ａ、５ｃ）の位置は、ネジ（２２３ａ、２２３ｂ）及びバネ部材（２２４ａ、２２４ｂ）により、部材（２２１ａ、２２１ｂ）と部材（２２２ａ、２２２ｂ）間の面Ｉを介して、調整できる。ネジ（２２３ａ、２２３ｂ）は、中間部材（２２２ａ、２２２ｂ）の波線の範囲内でスライドできる構造となっている。以上の構成により、面Ｉ上でライトバルブを水平移動、回転等させることができる。水平方向への移動は、呼び込みネジ、押し込みネジ等による移動や、偏芯ピンを端部に配置して移動させることにより可能である。
【００３４】
バネ部材（２２４ａ、２２４ｂ）には、弦巻状、板バネ、ゴム等の弾性部材を用いることができる。部材（２２１ａ、２２１ｂ）と部材（２２２ａ、２２２ｂ）との位置合わせは、面Ｉで基準の島形状を少なくとも３カ所以上設けてもよい。また、ライトバルブを水平移動又は回転調整後に、別途ネジ機構による固定するなど、接着剤によりライトバルブの固着・安定化を行っても良い。
【００３５】
なお、図５には、図示しなかったが、ライトバルブ５ｂも上述した方法により取り付け部材７に一体化して保持する。
【００３６】
以上の構成により、ライトバルブを取り付け部材が有する面と平行に水平移動、回転を可能にすることにより、各ライトバルブの位置合わせが可能となる。
【００３７】
次に、色合成素子１の出射面とライトバルブ面間の距離を調整するために、色合成素子１と偏光分離素子（４ａ、４ｂ、４ｃ）の位置を調整する機構について図６を用いて説明する。ライトバルブ（５ａ、５ｂ、５ｃ）は、取り付け部材７に一体化して保持されている。
【００３８】
偏光分離素子（４ａ、４ｂ、４ｃ）とダイクロイックプリズム等の色合成素子１の間隔を調整する機構としては、例えば、図６に示した偏光分離素子４ａの有効エリア外の少なくとも３カ所（８ａ〜８ｃ）を、Ｘ方向又はＹ方向に駆動可能な機構などがある。駆動機構としては、様々な方法があげられるが、具体的には、ネジ機構とそれに対向するバネ機構などの弾性部材を少なくとも３カ所（８ａ〜８ｃ）に設けることにより、偏光分離素子４ａを前後方向へ移動しても、安定して保持される。また、偏光分離素子４ａをホルダー等（図示せず）で保持し、そのホルダーを移動させることによっても、上述の動作を実現できる。具体的には、ホルダーにネジ穴を設け、ハウジング部材に取り付けられたネジ機構により、ネジの送り量を調整することにより、偏光分離素子の位置を調整する。なお、移動量は、数ｍｍ以下の僅かな量である場合は、偏芯ピン機構とバネ機構により調整できる。
【００３９】
以上の構成により、偏光分離素子をライトバルブからの入射光の光軸方向（Ｙ方向）や偏光分離素子からの出射光の光軸方向（Ｘ方向）に移動させることにより、偏光分離素子から色合成素子１の出射面までの光路長を調整する。色合成素子１から出射される光は、色合成素子１の出射方向であるＺ方向に配置された投射レンズにより拡大されることから、投射レンズが組みつけられる位置に基準面８を仮想的に設け、偏光分離素子の出射面から、基準面８までの距離を一定に保つように偏光分離素子４ａと色合成素子１との間隔を調整する。
【００４０】
偏光分離素子と色合成素子間の距離を測長する手段としては、焦点深度の深い顕微鏡により、パネル面に焦点を合わせ、送り量を読みとることにより行う。または、レーザ測長器などにより測定することもできる。ライトバルブ上のＡ点から基準面のＡ’点に光が到達するまでの光路長、ライトバルブ上のＢ点から基準面のＢ’点に光が到達するまでの光路長、ライトバルブ上のＣ点からＣ’点に光が到達するまでの光路長、及びライトバルブ上のＤ点から基準面のＤ’点に光が到達するまでの光路長のうち少なくとも３つの光路長が等しくなるように、偏光分離素子の位置を調整する。また、偏光分離素子の中心など一点と色合成素子との間隔を調整し、平行度は、従来からあるオートコリメータ等を利用して調整してもよい。
【００４１】
ライトバルブからの反射光は、偏光方向により偏光分離素子で反射せず、投射レンズへと進まない場合がある。そのため、偏光分離素子とライトバルブとの間に、１／４波長板等を介在させて投射レンズへ向かう光の偏光を変えることにより偏光分離素子によって反射させることができる。図示しないが、ＰＢＳのスキュー補正に必要な１／４板を有していれば、これを回転することにより実現できる。また、液晶の残留位相差を補正するための小さなリタデーションを有する波長板（図示せず）であっても、戻り光として調整できるだけの光量が投射レンズ側に進めば、これを回転することにより実現可能である。
【００４２】
また、マニュピレーター等を利用して、一時的に空間保持し、位置調整後、色合成素子に直接、又は間接的に接着してもよい。もちろん、ネジ機構による保持手段も採用できる。
【００４３】
また、図示しないが、偏光分離素子を取り付ける基準を記載していないが、色合成素子に板金部材等の支持部材を設けて、それに偏光分離素子を接着してもよい。
【００４４】
以上の構成により、ライトバルブを組みつける工程において、各ライトバルブから出射される光の光路長を一定に保つことができる。また、ライトバルブの移動を伴わずに、投射装置の出射面までの距離の調整が可能となる。
【００４５】
次に、ライトバルブを取り付け部材７に取り付ける前に、ライトバルブに相当する基準部材に偏光分離素子及び色合成素子を取り付けて偏光分離素子と色合成素子との位置関係を調整することにより、ライトバルブから出射された光が色合成素子から出射されるまでの光路長を調整する方法について図７（ａ）及び（ｂ）を用いて説明する。
【００４６】
なお、投射レンズにおけるフォーカスを調整することを目的としているため、投影レンズの位置を基準に偏光分離素子及び色合成素子を取り付けてもよい。また、基準部材から一定間隔だけ離して設定された基準面を基準に偏光分離素子及び色合成素子を取り付けても良い。
【００４７】
図７（ａ）に示す基準部材３１のライトバルブ（５ａ、５ｂ、５ｃ）の表示面に相当する部分に、光路長の調整のためにパターン３２ａ、３２ｂ、及び３２ｃが設けられている。なお、基準部材３１には、平面度の高いガラス基板を用いてもよい。図７（ａ）の状態において、各パターン３２ａ、３２ｂ、３２ｃから、色合成素子１の出射面までの光路長が一定になるように、偏光分離素子（４ａ、４ｂ、４ｃ）又は、色合成素子１の位置調整をおこなう。位置が決定した時点で、偏光分離素子（４ａ、４ｂ、４ｃ）と色合成素子１との一体化する。または、予め色合成素子１と偏光分離素子（４ａ、４ｂ、４ｃ）とを保持する取り付け部材７に固定してもよい。次に、基準部材３１から、色合成素子１と偏光分離素子（４ａ、４ｂ、４ｃ）とを離し、その後、ライトバルブに組み立てる。
【００４８】
以上に述べたように、基準部材３１を利用して、予め色合成素子１と偏光分離素子（４ａ、４ｂ、４ｃ）との位置関係を決定しておくことにより、ライトバルブ（５ａ、５ｂ、５ｃ）を取り付ける際の光軸方向の位置調整が容易になる。
【００４９】
また、図３に示したライトバルブ（５ａ、５ｂ、５ｃ）と取り付け部材７とを一体化したユニットと、ライトバルブ（５ａ、５ｂ、５ｃ）に相当する基準部材３１を利用して構成した色合成素子１と偏光分離素子（４ａ、４ｂ、４ｃ）とからなるユニットとにより投射装置を構成することもできる。ライトバルブ（５ａ、５ｂ、５ｃ）と取り付け部材７とからなるユニットは、中間部材（２２ａ、２２ｂ、２２ｃ）によって、光軸と直交する面内で、水平移動及び回転が可能であるため、ライトバルブ（５ａ、５ｂ、５ｃ）及び取り付け部材７とからなるユニットと、色合成素子１と偏光分離素子（４ａ、４ｂ、４ｃ）とからなるユニットとを一体化保持した後、光軸と直交する面内で各ライトバルブ（５ａ、５ｂ、５ｃ）の位置を調整する。
【００５０】
予め、ライトバルブ（５ａ、５ｂ、５ｃ）の表示面を同一面上にそろえたユニットと、光路長をそろえた色合成素子１と偏光分離素子（４ａ、４ｂ、４ｃ）とからなるユニットとを形成することにより、ユニット毎に性能、精度を管理ができるようになり、製品の歩留まり等を向上させることができる。
【００５１】
以上により、ライトバルブ、色合成素子、偏光分離素子等の光学部材の組み立て時に生じる不良、ライトバルブの不良、故障などに適切に対処でき、ユニット毎に調整、評価、管理できる。
【図面の簡単な説明】
【００５２】
【図１】本発明の実施形態に係る投射装置の概略図である。
【図２】（ａ）本実施形態に係る投射装置の側面図である。（ｂ）本実施形態に係る投射装置の上面図である。
【図３】（ａ）、（ｂ）、及び（ｃ）は、ライトバルブ（５ａ、５ｃ）を中間部材（２２ａ、２２ｃ）に取り付ける様子である。
【図４】各ライトバルブの位置を、取り付け部材の面上で調整する機構の概略図である。
【図５】取り付け部材の面上でライトバルブの位置調整をおこなう具体的な機構の概略図である。
【図６】色合成素子と偏光分離素子の位置を調整する機構の概略図である。
【図７】偏光分離素子と色合成素子との位置関係を調整する機構の概略図である。
【符号の説明】
【００５３】
１    色合成素子
２、３    ダイクロイック膜
４ａ、４ｂ、４ｃ    偏光分離素子
５ａ、５ｂ、５ｃ    ライトバルブ
７    取り付け部材
２１、３１    基準部材
２２ａ、２２ｂ、２２ｃ    中間部材
【図１】
2006098881.tif 000003
【図２】
2006098881.tif 000004
【図３】
2006098881.tif 000005
【図４】
2006098881.tif 000006
【図５】
2006098881.tif 000007
【図６】
2006098881.tif 000008
【図７】
2006098881.tif 000009